(57)【要約】      （修正有）【課題】自動販売機の横の廃棄ボックスの上方の無駄にされている空間を有効利用するとともに従来の廃棄ボックスを不要とすることができる新規な製品を提供する。【解決手段】ビン・カン類の廃棄ボックス部１２と、廃棄ボックス部１２の上に廃棄ボックス部１２と略同じ幅を有する、無料配布物を陳列する棚１４ｂを有するラック部１４とを備え、自動販売機に隣接して設置される自動販売機用陳列ラック兼廃棄ボックス１０。【選択図】図２
2008130000.tif 000002
【特許請求の範囲】
【請求項１】
自動販売機に隣接して設置された、ビン・カン類の廃棄ボックス部と、該廃棄ボックス部の上に該廃棄ボックス部と略同じ幅を有する、無料配布物を陳列する棚を有するラック部とを一体的に備えたことを特徴とする自動販売機用陳列ラック兼廃棄ボックス。
【請求項２】
前記廃棄ボックス部が、該廃棄ボックス部内に廃棄物収容部を有し、廃棄物を取り出すときには該廃棄物収容部を手前に取出すことができる開口部を前面に有するとともに該開口部に開閉可能な扉を備え、該扉は、閉じたときに前記廃棄物収容部へビン・カン類の投入を可能とする投入口を備えたものであることを特徴とする請求項１記載の自動販売機用陳列ラック兼廃棄ボックス。
【請求項３】
前記ラック部が、陳列する無料配布物を風雨から保護するカバー等の保護手段を備えたものであることを特徴とする請求項１または２記載の自動販売機用陳列ラック兼廃棄ボックス。
【請求項４】
前記ラック部が、陳列する無料配布物を雨から保護する軒付の屋根を備えたものであることを特徴とする請求項１から３いずれか記載の自動販売機用陳列ラック兼廃棄ボックス。
【請求項５】
高さを自動販売機と同じにしたことを特徴とする請求項１から４いずれか記載の自動販売機用陳列ラック兼廃棄ボックス。
【発明の詳細な説明】
【技術分野】
【０００１】
本発明は、自動販売機に隣接して設置されたビン・カン類の廃棄ボックス部の上に無料配布物を陳列するラック部を備えた新規な自動販売機用陳列ラック兼廃棄ボックスに関するものである。
【背景技術】
【０００２】
飲料等の自動販売機が広く普及して、街角やビル内に多数設置されているが、その横には、そこで購入した飲料のビンやカンを廃棄するための廃棄ボックスが隣接して設置されている。
【０００３】
これまで、その廃棄ボックスの上方空間を有効利用したものは実現していない。
【発明の開示】
【発明が解決しようとする課題】
【０００４】
自動販売機が設置されている場所は、いずれも占有面積にコストがかかる街角等の屋外やビル内が多いが、ビン・カン類の廃棄ボックスの上方空間はまったく何にも利用されておらず無駄となっているのが現状である。それはある意味、国土の損失である。
【０００５】
これまで自動販売機は広く普及しているが、その廃棄ボックスの上方空間を有効利用したものは実現していない。それは、上部が曲面となった廃棄ボックスの上には、安定して物を置くことができないことも原因の一つであると考えられる。また仮にそこに棚を設置したところで、適当な用途が思いつかなかったことも原因の一つであろうと推測される。
【０００６】
本発明は、その無駄にされている廃棄ボックスの上方空間を有効利用できる新規な製品を提供し、国土の有効利用を可能とすることを課題とするものである。
【０００７】
本発明は、以上の点に鑑みてなされたものであり、自動販売機に隣接して設置されている廃棄ボックスの従来無駄にされている上方空間を有効利用するとともに、従来の廃棄ボックスを不要とすることを目的とするものである。
【課題を解決するための手段】
【０００８】
本発明は、自動販売機に隣接して設置された、ビン・カン類の廃棄ボックス部の上方空間を有効利用して無料配布物を陳列する陳列ラック兼廃棄ボックスを提供するものであって、ビン、カン類の廃棄ボックス部と、この廃棄ボックス部の上に廃棄ボックス部と略同じ幅を有する、無料配布物を陳列する棚を有するラック部とを一体的に備えたことを特徴とするものである。
【０００９】
ここで、廃棄ボックス部とは、既存の、通常は蓋付きの廃棄ボックスの代わりとなるものである。
【００１０】
この廃棄ボックス部は、廃棄ボックス部内に廃棄物収容部を有し、廃棄物を取り出すときには廃棄物収容部を手前に取出すことができる開口部を前面に有するとともに開口部に開閉可能な扉を備え、扉は、閉じたときに廃棄物収容部へビン・カン類の投入を可能とする投入口を備えたものとすることができる。
【００１１】
また、廃棄物収容部は、ビン・カン類が投入される開口を有する廃棄物投入箱あるいは廃棄物投入袋とすることができる。なお、箱の中に袋を備えたものとしてもよい。
【００１２】
また、ラック部は、陳列する無料配布物を風雨から保護するカバー等の保護手段を備えたものとすることができる。
【００１３】
また、ラック部は、陳列する無料配布物を雨から保護する軒付の屋根を備えたものとすることが望ましい。
【００１４】
なお、高さは自動販売機と同じにするのが望ましい。
【発明の効果】
【００１５】
本発明の自動販売機用陳列ラック兼廃棄ボックスは、既存の自動販売機に隣接して設置されたビン・カン類の廃棄ボックスの不安定な上面に載せるものではなく、既存の廃棄ボックスに置き換わる廃棄ボックス部と、その上に廃棄ボックス部と略同じ幅を有する、無料配布物を陳列する棚を有するラック部とを一体的に備えるので、従来の廃棄ボックスを必要とすることなく、使用後のビンやカンを廃棄ボックス部に投入することができ、その上方空間も有効利用することができる。また、その棚には無料配布物を陳列するようにしたものであるから、自動販売機がどこにあっても、これまで利用されていなかった既存の廃棄ボックスの無駄な上方空間を有効に利用することができる。また、無料配布物を陳列するラック部が廃棄ボックス部の上方にあるので、自動販売機を使用する人の目に付き易く、無料配布物の配布の効果を向上させることができる。
【００１６】
また、廃棄ボックス部が、廃棄ボックス部内に、前面に開口部を備えた廃棄物収容部を有し、開口部に開閉可能な、投入口を有する扉を備えている場合は、投入口から廃棄物を容易に投入することができ、また、扉により廃棄物収容部が、例えば風等により廃棄ボックス部の外部に飛ばされることなく確実に廃棄ボックス部内に保持され、廃棄物を廃棄するときは扉を開けて廃棄物収容部を容易に外部に取り出して廃棄することができる。
【００１７】
また、自動販売機用陳列ラック兼廃棄ボックスが、カバー等の保護手段や軒付の屋根を備えている場合は、陳列する無料配布物を風雨から確実に保護することができる。
【００１８】
さらに、廃棄ボックス部上には廃棄ボックス部と略同じ幅を有する無料配布物の陳列用ラック部が一体的に設けられているから、余計な面積を占有することもなく、無駄なく空間を有効に利用することができる。特にその高さを自動販売機と同じにした場合には、横方向だけでなく、縦方向にも余計な空間を占有することなく、無駄なく空間を有効に利用することができるとともに、見栄えもよいものである。
【発明を実施するための最良の形態】
【００１９】
以下、本発明の自動販売機用陳列ラック兼廃棄ボックス（以下、単にラック兼廃棄ボックスという）の最良の実施の形態について、添付図を参照して詳細に説明する。図１は、本発明の一例として第１の実施形態を示す、既存の自動販売機に取り付けられたラック兼廃棄ボックスの斜視図であり、図２は図１のII-II線に沿う断面図である。なお、図２では自動販売機は省略されている。以下、図１および図２を参照して説明する。図１中、１で示すのは、自動販売機であり、１０で示すのは、自動販売機１に取り付けられたラック兼廃棄ボックスである。自動販売機１は、図１に示すように、一般的に矩形縦型であり、サイズは幅約９９ｃｍ、高さ約１８３ｃｍ、奥行き３２〜７２ｃｍ程度である。自動販売機１は、その前面に、例えば、飲料容器（ビン、カン）などのサンプルを配置してある表示部１ａと、この表示部1ａの下部近傍に配置されたコインの投入口１ｂと、自動販売機1の下部に商品取出口１ｃとを有するのが一般的である。自動販売機１は、その底部の四隅に下方に向けて突設された支脚１ｄにより地面９に設置されている。なお、以下の説明において、表示部１ａが表示されている側を前部あるいは前方と称し、反対側を後部あるいは後方と称するものとする。
【００２０】
ラック兼廃棄ボックス１０は、１組の側板４、４’、後板６および面板８から構成され、自動販売機１と同じ高さを有し、廃棄ボックス部１２と、この廃棄ボックス部１２の上に位置するラック部１４と、このラック部１４の上に取り付けられた屋根１６とを有する。ラック兼廃棄ボックス１０は、木、合成樹脂等適宜材料から構成することができ、これらの材料から一体的に製作される。合成樹脂で構成する場合は、ラック兼廃棄ボックス１０全体を透明（スケルトン）にして、内容物の確認を容易にするとともに、周囲の環境に配慮してあまり目立たないようにしてもよい。また、スケルトンにすることで暗いところに手を入れる使用者の不安感をなくすことができる。廃棄ボックス部１２の前部は、前方に開放した開口部１８となっており、この開口部１８には扉３０が、図１において扉３０の左側に位置するヒンジ３０ｂにより開閉可能に取り付けられている。また、扉３０の上部には廃棄物を投入する投入口３１が設けられており、扉３０の自由端側には指で摘んで開閉を容易にする取っ手３０ａが取り付けられている。また、扉３０には鍵がかかるようにして、管理者以外は扉３０を開けることができないようにしてもよい。
【００２１】
廃棄ボックス部１２の内部には、上部に開口５０ｄを有する廃棄物投入箱５０が配置されている。この廃棄物投入箱５０は、廃棄ボックス部１２の内側の形状と相補的な形状であって、廃棄ボックス部１２の内法に近接した形状であることが好ましい。廃棄物投入箱５０は、投入口３１から投入されたビン・カン等が収容される。廃棄物投入箱５０は、廃棄物５２を取り出すときは、扉３０を開けて開口部１８から手前に引き出したり、廃棄物５２の廃棄後は、開口部１８から廃棄ボックス部１２の中に押し入れたりするようになっている。側板４の下部には、自動販売機１に近接する少なくとも１箇所に、自動販売機１の支脚１ｄと、ラック兼廃棄ボックス１０とを連結するための連結具２０が取り付けられる（図１）。これにより、ラック兼廃棄ボックス１０は自動販売機１に固定されるので、ラック兼廃棄ボックス１０の縦長の形状にもかかわらず、安定した状態に設置される。連結具２０の詳細については後述する。
【００２２】
また、上記実施形態では、扉３０に円形の投入口３１を設けたが、扉を開口１８より小さく、すなわち開口１８の上部が開放するように、上下方向の寸法が短くなるようにしてもよい。この場合。開放された領域が、廃棄物５２を投入する投入口となる。
【００２３】
廃棄ボックス部１２の上に位置するラック部１４は、廃棄ボックス部１２と略同じ幅で廃棄ボックス部１２と一体的に設けられあるいは別体として設けられて廃棄ボックス部１２に固設される。このラック部１４には、無料配布物２２（フリーペーパー）等を収納、陳列する４つの陳列ラック１４ａが形成されている。図３にこの陳列ラック１４ａを拡大した斜視図を示す。なお、図３において、無料配布物２２を収容する矩形部分は、陳列ラック１４ａの内法部分を示す。この内法部分の寸法は、例えば、幅２２ｃｍ、高さ３０ｃｍ、奥行３２〜４２ｃｍ程度に設定される。各陳列ラック１４ａには底板すなわち棚１４ｂ（図２）が設けられている。この棚１４ｂには、例えば公告チラシ等の無料配布物２２が積層して収容されており、ほしい人は自由に入手することができる。
【００２４】
各陳列ラック１４ａには、自動販売機１が屋外に配置されている場合に、無料配布物２２を雨風から防ぐ保護手段として、カバー２４が、ヒンジ２４ａを介してラック部１４の枠体１５に開閉可能に取り付けられている。カバー２４は、ばね付勢されて通常は、閉じていることが好ましい。また、カバー２４の周囲にはシール部材（図示せず）が設けられ、閉じたときに陳列ラック１４ａをシールして、陳列ラック１４ａの内部に雨滴等が侵入しないようにすることが望ましい。カバー２４は、例えば、外部から内容物を視認可能な透明な合成樹脂製とすることができる。また、カバー２４には、指で摘んで開閉を容易にするノブ２４ｂが設けられており、内容物の収納および取り出しを容易にしている。カバー２４には、無料配布物２２の内容がわかるような、文字、絵、写真等を表示してもよい。
【００２５】
ラック部１４の上に形成された屋根１６は、一端が自動販売機１と同じ高さにあり、他端が自動販売機１から離れるに従って下方に傾斜している。この屋根１６は、ラック兼廃棄ボックス１０の前後方向および外方（図１においてラック兼廃棄ボックス１０の右側）にラック部１４より大寸法の軒を構成している。また、屋根１６の前側には、上方へ折返された折返し部１６ａが形成されており、軒と相俟って雨等の水滴がラック部１４およびラック兼廃棄ボックス１０の前で無料配布物２２を取り出そうとする人にかかるのを防止している。
【００２６】
次に、図４を参照して、廃棄ボックス部１２内に収容する廃棄物収容部の変形例について説明する。なお、変形例の説明にあたり、廃棄ボックス部１２と同一部品については、同一参照番号を使用して説明する。図４は、廃棄ボックス部１２内に廃棄物収容部として廃棄物投入袋５４を収容した状態を示すラック兼廃棄ボックス１０の断面図である。この廃棄物投入袋５４は、例えば、一般的に知られたゴミ出し用のビニール袋を用いることができる。廃棄物投入袋５４の周囲５４ａは、例えば、ラック兼廃棄ボックス１０の内部形状と相補的な形状の矩形の枠５６に保持されて、枠状の開口５４ｂが形成される。廃棄ボックス部１２の投入口３１から投入された廃棄物５２は、この開口５４ｂを経て廃棄物投入袋５４内に収容される。枠５６は、例えば、図示しない支柱により廃棄ボックス部１２内に支持されてもよいし、適宜手段により廃棄ボックス部１２内に着脱可能に固定されてもよい。ラック兼廃棄ボックス１０の基本的構成は、図２のラック兼廃棄ボックス１０の構成と同じなので詳細な説明は省略する。
【００２７】
次に、図５〜図７を参照して、ラック兼廃棄ボックス１０を自動販売機１に取付けるための連結具２０について説明する。図５は図１の矢視Vで示す部分を拡大して示す部分拡大図であり、図６は、図５のVI-VI線に沿う断面図であり、図７は連結具の変形例を示す平面図である。図５に示すように、自動販売機１の支脚１ｄは、台１ｅを介して地面９に載置される。図５および図６に示すように、連結具２０は、一端に雄ねじ２０ｂが形成され、他端に固定部２０ｃが設けられた金属製の丸棒すなわち棒状部２０ａを有する。棒状部２０ａは、一端側が廃棄ボックス部１２の側板４の貫通孔１３に挿通され、貫通孔１３から突出した雄ねじ２０ｂにナット２６が螺合される。他方、固定部２０ｃは、金属製の帯状板材を環状に折り曲げ形成したものが、例えば溶接により棒状部２０ａの他端に取り付けられる。固定部２０ｃには板材の両端部が、互いに平行に外側に突出した延長部２０ｄが形成されており、この延長部２０ｄに、延長部２０ｄを互いに接近させて固定部２０ｃの直径を縮小可能なネジ部２０ｅが設けられている。このネジ部２０ｅは、例えば、ボルトとこのボルトに螺合する蝶ネジの組合せから構成される。固定部２０ｃは自動販売機１の支脚１ｄの周りを囲むように取り付けられ、ネジ部２０ｅの操作により支脚１ｄに締め付けられて支脚１ｄに固定され、一端側においてもナット２６で側板４に固定される。これにより、ラック兼廃棄ボックス１０は自動販売機１に確実に固定される。連結具２０は、自動販売機１の前面側に突出することはないので、ラック兼廃棄ボックス１０が自動販売機１の横に配置されることと相俟って、自動販売機１を操作する人、或いは通行人の邪魔になることはない。
【００２８】
また、図７は、変形例の連結具２０’を示す平面図である。この連結具２０’は、棒状部２０’ａがパイプ状である点のみが相違する。また、さらに他の変形例として、棒状部を角柱状あるいは角パイプ状とすることもできる。
【００２９】
次に図８を参照して、本発明の第２の実施形態のラック兼廃棄ボックス６０について説明する。図８は本発明の第２の実施形態のラック兼廃棄ボックス６０を示す斜視図である。なお、説明に当たり、図1と同じ部品については、同じ参照番号を付して説明する。図８に示すラック兼廃棄ボックス６０は、図1と同様な廃棄ボックス部６２と、ラック部６４と、屋根６６とを有する。第２の実施形態のラック兼廃棄ボックス６０が、第１の実施形態のラック兼廃棄ボックス１０と異なる点は、ラック部６４と、屋根６６の形状である。ラック部６４は縦長の直方形であり、屋根６６はこのラック部６４の上に自動販売機１と同じ高さで水平に設置されている。この屋根６６の前端にも第１の実施形態と同様に折返し部を設けてもよい。
【００３０】
ラック部６４には、横長の陳列ラック６４ａと、縦長の陳列ラック６４ｂが組み合わせて配置されている。陳列ラック６４ａ、６４ｂには、風雨の進入を阻止するようにそれぞれカバー７４ａ、７４ｂが取り付けられている。横長のカバー７４ａにはカバー７４ａの上側にヒンジが取り付けられて、上方にカバー７４ａを開くようになっており、縦長のカバー７４ｂはその左側にヒンジが取付けられて水平方向に開くようになっている。これらのカバー７４ａ、７４ｂも、図示しないばねにより通常は閉じているようにばね付勢されている。横長の陳列ラック６４ａには無料配布物が積層され、縦長の陳列ラック６４ｂには、無料配布物が縦置きに配置される。第２の実施形態では、横長の陳列ラック６４ａと、縦長の陳列ラック６４ｂを組み合わせた場合について示しているが、変形例として、横長の陳列ラック６４ａだけを上下方向に配置してもよいし、或いは縦長の陳列ラック６４ｂだけを左右方向に配置し且つ上下に複数段配置してもよい。また、各陳列ラックの大きさを変えてももちろんよい。
【００３１】
以上、本発明の一例として、ラック兼廃棄ボックス１０、１０’および６０について詳細に説明したが、上記実施形態に限定されるものではなく、種々の変形、変更が可能であることはいうまでもない。例えば、ラック部１４、６４内の無料配布物２２の保護手段として、陳列ラック１４ａ、６４ａ、６４ｂに、ぞれぞれ個別にカバー２４、７４ａ、７４ｂを設ける代わりに、ラック部１４、６４の前面全体を一括して覆う、例えば、透明なシート状のカバーを無料配布物２２の保護手段として用いてもよい。
【００３２】
また、一部の陳列ラック１４ａ、６４ａ、６４ｂを、ゴミ袋、軍手、タオル等の収納スペースに使用するような使い方もできる。これにより、収容函１０、６０を設けたことによって、ゴミ箱、或いは、自動販売機１の取り扱いの利便性を向上させることができる。
【００３３】
また、ラック兼廃棄ボックス１０、６０の自動販売機１への固定は、連結具２０に追加して吸盤（図示せず）を使用してもよい。すなわち、ラック兼廃棄ボックス１０、６０に自動販売機１に向けて設けた吸盤を自動販売機１に吸着して固定の補助としてもよい。さらに、自動販売機１から離れた側に位置する側板４の下部に地面９や床（図示せず）に固設するための金具等の固定手段を追加的に設けてもよい。
【００３４】
また、屋根１６、６６に太陽電池パネルを配置し、或いは屋根自体を太陽電池パネルとして、自動販売機１が使用する電力を発電するようにしてもよい。また、屋根の形状は、上記実施形態の他、幅方向の中央が高くなり両側が下方に傾斜した、いわゆる山型形状であってもよい。また、各陳列ラックの上部に個別に小さな屋根を追加的に突設して、風雨の進入を一層防止するようにしてもよい。
【図面の簡単な説明】
【００３５】
【図１】本発明の第１の実施形態を示す、既存の自動販売機に取り付けられた自動販売機用陳列ラック兼廃棄ボックスの斜視図
【図２】図１のII-II線に沿う、自動販売機用陳列ラック兼廃棄ボックスの断面図。なお、図２では自動販売機は省略されている。
【図３】図１に示す自動販売機用陳列ラック兼廃棄ボックスの陳列ラックの一部の拡大斜視図
【図４】自動販売機用陳列ラック兼廃棄ボックス内に収容する廃棄物収容部の変形例
【図５】図１の矢視Vで示す部分を拡大して示す連結具の部分拡大図
【図６】図５のVI-VI線に沿う連結具の断面図
【図７】連結具の変形例を示す平面図
【図８】本発明の第２の実施形態のラック兼廃棄ボックスを示す斜視図
【符号の説明】
【００３６】
１    自動販売機
１０、６０    自動販売機用陳列ラック兼廃棄ボックス
１２、６２    廃棄ボックス部
１４、６４    ラック部
１４ｂ    棚
１６、６６    屋根
１８    開口部
２２    無料配布物
２４、７４ａ、７４ｂ    カバー（保護手段）
３０    扉
３１    投入口
５０    廃棄物投入箱（廃棄物収容部）
５０ｄ    開口
５２    廃棄物
５４    廃棄物投入袋（廃棄物収容部）
５４ｂ    開口
【図１】
2008130000.tif 000003
【図２】
2008130000.tif 000004
【図３】
2008130000.tif 000005
【図４】
2008130000.tif 000006
【図５】
2008130000.tif 000007
【図６】
2008130000.tif 000008
【図７】
2008130000.tif 000009
【図８】
2008130000.tif 000010